(57)【要約】【課題】  表示手段を有する遊技機において、表示手段における表示効果を高めるのに有効な遊技機を構築する。【解決手段】  遊技盤１０３面に表示装置１２０が設けられたパチンコ機１０１において、表示装置１２０を構成するＥＬ表示器１２２は、積層画像を形成するべく積層された複数の表示画像を遊技盤１０３面に沿った方向に相対的にシフトさせて表示する。【選択図】      図１
2005230161.tif 000002
【特許請求の範囲】
【請求項１】
単一種類の表示画像が複数積層された積層画像を表示可能な表示手段と、
前記表示手段を制御する表示制御手段と、
を備えたことを特徴とする遊技機。
【発明の詳細な説明】
【技術分野】
【０００１】
本発明は、表示手段を有する遊技機の構成に関する技術である。
【背景技術】
【０００２】
従来、パチンコ機やスロットマシン等のように、遊技盤面に表示手段を有する遊技機が知られている。例えば、遊技盤面に表示手段を有するパチンコ機が公知である（例えば、特許文献１参照。）。この特許文献１に記載のパチンコ機は、第１の表示体と第２の表示体の間にハーフミラーを介在させることによって表示画像を立体的に表示させ表示効果を高めようとする構成を有するが、この種の遊技機では、表示手段の構成を種々工夫することによって遊技者の興趣を高める一層の技術的探求が要請される。
【特許文献１】特開平３−１８６２８６号公報
【発明の開示】
【発明が解決しようとする課題】
【０００３】
そこで、本発明は、かかる点に鑑みてなされたものであり、表示手段を有する遊技機において、表示手段における表示効果を高めるのに有効な遊技機を構築することを課題とする。
【課題を解決するための手段】
【０００４】
前記課題を解決するために、本発明が構成される。なお、本明細書でいう「遊技機」としては、パチンコ機、アレンジボール遊技機、スロットマシンなどの遊技機が典型的なものである。
【０００５】
（本発明の第１発明）
前記課題を解決する本発明の第１発明は、請求項１に記載されたとおりの遊技機である。この請求項１に記載の遊技機は、少なくとも表示手段、表示制御手段を備える。
【０００６】
本発明の表示手段は、単一種類の表示画像が複数（２階層以上）積層された積層画像を表示可能な機能を有する表示手段である。
なお、ここでいう「単一種類の表示画像」は、同一の表示画像のほか、相似関係にある表示画像、一部分が異なる画像を含む画像であって、例えば１個の文字によって構成される画像に限定されるものではない。表示画像としては、図柄、文字、数字、キャラクターなどであって、所定の遊技条件が成立したことに起因して行われる抽選の結果に関与する表示画像や、遊技演出として表示される背景用や装飾用の表示画像などがある。
本発明の表示制御手段は、表示手段を制御する機能を有する手段である。これにより、複数の表示画像の積層態様が表示制御手段によって制御されて表示手段に表示されることとなる。
【０００７】
請求項１に記載の遊技機のこのような構成によれば、積層画像を形成する複数の表示画像を表示制御手段によって制御して表示手段に表示させ表示効果を高めることによって遊技者の興趣が高まることとなる。
【０００８】
ここで、本発明の遊技機のより具体的な構成として、「単一種類の表示画像が複数積層された積層画像を表示可能な透過型表示手段と、積層画像を形成するべく積層された複数の表示画像が遊技盤面に沿った方向に相対的にシフトされるように前記透過型表示手段を制御する表示制御手段と、を備える遊技機。」という構成を用いることができる。
ここでいう「透過型表示手段」は、画像を表示可能であるとともに、表示状態では表示部分以外の領域が、非表示状態では表示部分全体が素通しの状態となる表示媒体であり、表示部分の後方は透視可能とされる。この透過型表示手段としては、電流を流すことによって発光する材料であるＥＬ（エレクトロスミネッセンス）を用いた透明ＥＬパネルを複数積層させた構成の表示器や、光の透過、不透過を電気的にコントロールして表示する透明液晶パネルを複数積層させた構成の表示器を典型的に用いることができる。
また、ここでいう「表示制御手段」は、積層画像を形成するべく積層された複数の表示画像が遊技盤面に沿った方向に相対的にシフトされる（ずれる）ように透過型表示手段を制御する機能を有する手段である。これにより、複数の表示画像が遊技盤面に沿った方向に相対的にシフトされて（ずれて）表示される。具体的には、互いに積層される第１の表示画像と第２の表示画像が遊技盤面に沿った方向に相対的にシフトされた（ずれた）状態で積層画像として表示されることとなる。ここでいう「遊技盤面に沿った方向」は、遊技者と透過型表示手段とを結ぶ方向と直交する方向、すなわち遊技機を正面からみた方向と交差する方向にほぼ合致する。
なお、表示制御手段の構成に関しては、積層画像を形成する各表示画像の表示位置を遊技盤面に沿った方向に関して移動させることによって相対的なシフトを行う構成や、透過型表示手段を遊技盤面に沿った方向に対して傾斜させるように駆動させることによって相対的なシフトを行う構成を採り得る。
このように積層画像を形成する複数の表示画像を、遊技盤面に沿った方向に相対的にシフトさせた状態で透過型表示手段に表示させることによって、積層画像の奥行き方向の立体感が強調された迫力のある表示が可能となり、表示効果を高めることによって遊技者の興趣が高まることとなる。
【０００９】
なお、本構成では、単一種類の表示画像の積層数（階層数）、透過型表示手段の設置数等は必要に応じて種々変更可能である。表示画像の積層数を増やすほどに、積層画像の立体感の強調度合いをより高めることが可能となる。
また、本構成では、複数の表示画像を遊技盤面に沿った方向に相対的にシフトさせるタイミングは、遊技機の仕様等により適宜設定される。例えば、積層画像の表示にあわせて当該積層画像を形成する複数の表示画像を相対的にシフトさせる態様や、複数の表示画像が相対的にシフトされていない積層画像を一旦表示させ、その後の所定のタイミングで当該積層画像を、複数の表示画像が相対的にシフトされた積層画像に切り替える態様が、本発明に含まれる。
また、透過型表示手段の構成に関しては、各々に独立して表示画像を表示可能な透過型表示手段を複数積層させることによって積層画像を表示する構成や、表示画像を個々に表示する表示体を１つの透過型表示手段において複数積層させることによって積層画像を表示する構成を採り得る。
また、本構成では、必要に応じ、透過型表示手段以外の他の表示媒体を組み込んで１つの表示装置を構成することもできる。
【発明の目的及び効果】
【００１０】
以上のように、「表示手段を有する遊技機において、表示手段における表示効果を高めるのに有効な遊技機を構築する。」という目的に対し、
本発明によれば、単一種類の表示画像が複数積層された積層画像を表示可能な表示手段を表示制御手段によって制御することによって表示手段における表示効果を高めることが可能とされる。より具体的には、単一種類の表示画像が複数積層された積層画像を表示可能な表示手段において、積層画像を形成するべく積層された複数の表示画像を遊技盤面に沿った方向に相対的にシフトさせるように表示制御手段が制御することによって、「奥行き方向の立体感が強調された積層画像の表示によって表示効果を高めることが可能とされる。」という効果を奏することとなる。
【発明を実施するための最良の形態】
【００１１】
以下に、本発明の「遊技機」の一実施の形態であるパチンコ機１０１につき図面を用いて詳細に説明する。まず、図１を参照しつつ、パチンコ機１０１の全体構成を説明する。ここで、図１には本発明における一実施の形態のパチンコ機１０１の遊技盤１０３の全体構成が示される。
【００１２】
図１に示すパチンコ機１０１は、いわゆる「第１種パチンコ機」と呼称される機種である。このパチンコ機１０１の遊技盤１０３の表面に形成された遊技領域１０５には、第１種始動口１１０、表示装置１２０、大入賞口（図示省略）を開閉する開閉部材１１２、通過口１１３、風車１１４、各種の一般入賞口１１５、多数の遊技釘１１６等が配置されている。表示装置１２０には、液晶表示器１２１及びＥＬ表示器１２２が設けられている。
【００１３】
第１種始動口１１０に遊技球（パチンコ球）が入賞し、入賞した当該遊技球（パチンコ球）が始動口センサ１４０によって検出されると、所定数の賞球が付与されるとともに、表示装置１２０の液晶表示器１２１は大当たりに関与する図柄や文字、背景等の変動を開始する。大当たりの場合は、表示装置１２０の液晶表示器１２１が大当たり図柄の配列を表示するとともに、開閉部材１１２が開閉動作される、いわゆる「大当たり遊技」の状態となる。開閉部材１１２は、後述するソレノイド１６０によって開閉制御される。開閉部材１１２が開放された状態で大入賞口に入賞した遊技球は、大入賞口センサ１４４によって検出される。
【００１４】
通過口１１３は、通過口センサ１４２を備え、当該通過口１１３に遊技球が通過したことが通過口センサ１４２によって検出される。風車１１４は、遊技球の流下経路を、例えば風車１１４の右側ないし左側へと変える機能を有する。一般入賞口１１５は、一般入賞口センサ１４６を備え、当該一般入賞口１１５に入賞した遊技球が一般入賞口センサ１４６によって検出されると、入賞した遊技球の個数にしたがって賞球を付与する。遊技釘１１６は、遊技球の流下態様（流下方向、流下時間等）に影響を与える釘であり、遊技盤１０３面の必要箇所に多数配置されている。
【００１５】
次に、本実施の形態の表示装置１２０を構成するＥＬ表示器１２２の構成を図２及び図３を参照しながら説明する。ここで、図２は図１中の表示装置１２０を構成するＥＬ表示器１２２の斜視図であり、図３には図２中のＥＬ表示器１２２のＡ−Ａ線における断面構造が示される。
【００１６】
本実施の形態のＥＬ表示器１２２は、遊技盤１０３において液晶表示器１２１の上方に配置されている。このＥＬ表示器１２２は、本発明における「透過型表示手段」に対応する表示器であり、複数の透明ＥＬパネルを積層させた構成を有する。図２には、３つの透明ＥＬパネル１２３，１２４，１２５を積層させた３層構造のＥＬ表示器１２２が示される。
【００１７】
図３に示すように、ＥＬ表示器１２２を構成する各透明ＥＬパネルは、既知の構成の透過型の透明ＥＬパネルであり、いずれも遊技盤１０３面に沿った方向に延在するように配置される。この透明ＥＬパネルは、有機ＥＬシート１２２ｂを、ガラス板の表面にフォトレジスト等の手法を用いて透明配線及び透明電極を形成したガラス電極１２２ａによって挟み込むことによって構成される。有機ＥＬシート１２２ｂには、電流供給装置（図示省略）から電流を流すことによって発光する材料である自発光式のＥＬ（エレクトロスミネッセンス）を用いられている。
【００１８】
次に、上記構成のパチンコ機１０１の電装システムを図４を参照しながら説明する。図４には、本実施の形態のパチンコ機１０１の電装システムが示される。
【００１９】
図４に示すように、本実施の形態に係るパチンコ機１０１は、概略的に見て、ＡＣ電源に接続された電源装置１３０に中継基板１３２を介して接続された主制御装置（メイン制御基板）１５０、および副制御装置（サブ制御基板）１５２を主体として構成される。
主制御装置１５０内には、特に図示しないもののＣＰＵ（中央演算処理装置）、メモリ、入力処理回路および出力処理回路が適宜設定されている。さらに、主制御装置１５０には、始動口センサ１４０、通過口センサ１４２、大入賞口センサ１４４、一般入賞口センサ１４６が接続されており、これら各センサ１４０，１４２，１４４，１４６からの検出信号が当該主制御装置１５０に適宜入力されるようになっている。さらに、主制御装置１５０には、ソレノイド１６０、賞球制御部１６５が接続され、また、副制御装置１５２を介して表示制御部１６２、音制御部１６３、ランプ制御部１６４がそれぞれ接続されている。さらに主制御装置１６０は、パチンコ機１０１を設置した遊技ホールに設けられたホールコンピュータ１７０に接続され、例えば大当たりの回数等といった遊技に関する営業情報を適宜出力する構成になっている。
【００２０】
表示制御部１６２には、前記の液晶表示器１２１及びＥＬ表示器１２２が接続されており、表示制御部１６２を介して伝達される制御信号にしたがって液晶表示器１２１及びＥＬ表示器１２２における表示内容の制御などが行われる。
音制御部１６３には、スピーカー類が接続されており、この音制御部１６３を介して伝達される制御信号にしたがってスピーカー類における音声出力状態が制御される。
ランプ制御部１６４には、遊技盤１０３に配置される各種のランプ類が接続されており、ランプ制御部１６４を介して伝達される制御信号にしたがって各種のランプ類の点灯、点滅状態が制御される。
賞球制御部１６５には、賞球の払出しを実行する賞球装置１６６が接続されており、主制御装置１６０から適宜賞球制御信号を受けて、賞球装置１６６における賞球の払い出し制御を適宜行う。
【００２１】
次に、本実施の形態に係る上記構成のパチンコ機１０１の作用を各図面を参照しながら説明する。ここでは、特に表示装置１２０を構成する「透過型のＥＬ表示器１２２」の作用について説明する。なお、このＥＬ表示器１２２は、メインの表示器である液晶表示器１２１に対し補助的な表示を行うサブの表示器として用いられる。
【００２２】
図１に示すパチンコ機１０１において、発射ハンドル装置（図示省略）によって遊技盤１０３表面の遊技領域１０５に発射された遊技球は、遊技釘によって流下態様を変えつつ遊技領域１０５を流下していく。遊技球が第１種始動口１１０に始動入賞し、当該遊技球が始動口センサ１４０によって検出されると主制御装置１５０は大当たりに関する抽選を行い、当該抽選結果に基づいて表示制御部１６２は液晶表示器１２１において大当たりに関与する図柄や文字、キャラクターなどの変動を開始する。当該抽選結果が大当たりの場合には、液晶表示器１２１に大当たり図柄配列が表示されるとともに、開閉部材１１２（大入賞口）が開閉動作される「大当たり遊技」の状態となる。反対に、抽選結果がはずれの場合には、液晶表示器１２１に、はずれ図柄配列が表示される。
【００２３】
本実施の形態では、当該抽選結果が大当たりの場合、表示制御部１６２はＥＬ表示器１２２に「大当たり」であることを報知する補助的な表示画像を表示させる構成になっている。遊技者は、液晶表示器１２１に表示された抽選結果の表示のみならず、ＥＬ表示器１２２に表示された表示画像によっても「大当たり」であることを認識することが可能である。
【００２４】
本実施の形態のＥＬ表示器１２２は、３つの透明ＥＬパネル１２３，１２４，１２５が遊技盤１０３の前面から後方（背面）に向けて順に３層に積層された３層構造であり、Ｘ軸方向及びＹ軸方向（２次元方向）に複数の表示用のドットが配置された各透明ＥＬパネルが、Ｚ軸方向（３次元方向）に３階層に積層されることとなる。なお、本実施の形態では、ＥＬ表示器１２２を正面から視た場合、Ｚ軸方向に関し積層される表示用のドットが互いに重なり合う（合致する）ように配置されている。
なお、本実施の形態では、Ｘ軸方向ないしＹ軸方向は、遊技盤１０３面に沿った方向に合致する。
【００２５】
ＥＬ表示器１２２のこのような構成において、３つの透明ＥＬパネル１２３，１２４，１２５が表示状態に設定された場合の表示態様の一例を図５及び図６を参照しながら説明する。ここで、図５には、表示状態のＥＬ表示器１２２を斜め上方から視た様子が示され、図６には、表示状態のＥＬ表示器１２２を正面から視た様子が示される。また、これらの図において、Ｘ軸はＥＬ表示器１２２を正面から視た場合の水平方向であり、Ｙ軸はＥＬ表示器１２２を正面から視た場合の上下方向であり、Ｚ軸はＥＬ表示器１２２を正面から視た場合の奥行き方向である。
【００２６】
図５及び図６に示す例では、「大当たり」であることを報知する同一の表示画像（本発明における「単一種類の表示画像」）である「Ｖ（ブイ）」が、各透明ＥＬパネルにおいて計２１個の表示ドットによって形成されている。また、各透明ＥＬパネルに表示された表示画像（本発明における「表示画像」）がＺ軸方向に互いに積層されることによって積層画像（本発明における「積層画像」）が形成されている。また、各表示画像を形成する表示ドットの配置に関しては、透明ＥＬパネル間でＸ軸方向（本発明における「遊技盤面に沿った方向」）に相対的にシフトさせて（ずらして）配置されている。複数の表示画像を相対的にシフトさせるタイミングに関しては、積層画像の表示にあわせて当該積層画像を形成する複数の表示画像を相対的にシフトさせる態様や、複数の表示画像が相対的にシフトされていない積層画像を一旦表示させ、その後の所定のタイミングで当該積層画像を、複数の表示画像が相対的にシフトされた積層画像に切り替える態様などを用いることができる。
このように、本実施の形態のＥＬ表示器１２２は、各透明ＥＬパネルの表示位置を遊技盤１０３面に沿って変更可能、すなわち遊技機（パチンコ機１０１）を正面からみた方向と交差する方向に関して可変とする構成となっており、後述する態様２に記載の構成に相当する。また、ＥＬ表示器１２２におけるこのような表示の制御は、図４中の少なくとも表示制御部１６２を用いて行われるものであり、この表示制御部１６２が本発明における「表示制御手段」を構成する。
【００２７】
具体的には、図６においてＥＬ表示器１２２を正面から視た場合、透明ＥＬパネル１２３の表示ドット１２３ａと透明ＥＬパネル１２４の表示ドット１２４ａとは、Ｘ軸方向に１ドット分の距離Ｄ１だけずれている。同様に、透明ＥＬパネル１２４の表示ドット１２４ａと透明ＥＬパネル１２５の表示ドット１２５ａとは、Ｘ軸方向に１ドット分の距離Ｄ１だけずれている。従って、透明ＥＬパネル１２３の表示ドット１２３ａと透明ＥＬパネル１２５の表示ドット１２５ａとは、Ｘ軸方向に２ドット分の距離（２×Ｄ１）だけずれることとなる。これにより、各透明ＥＬパネルの表示画像は、一定方向（Ｘ軸方向）に順次ずらされた状態で積層表示される。
なお、各透明ＥＬパネルにおける表示ドットを、Ｘ軸方向にのみずらす上記構成以外に、Ｙ軸方向にのみずらす構成や、Ｘ軸方向及びＹ軸方向の両方向にずらす構成を用いることもできる。
【００２８】
ＥＬ表示器１２２のこのような表示態様によれば、２次元方向（Ｘ軸方向ないしＹ軸方向）だけではなく３次元方向（Ｚ軸方向）に関しても表示ドットが並ぶこととなり、全体として奥行きのある立体的な積層画像の表示が可能となる。そのうえ、Ｚ軸方向に関して互いに積層された透明ＥＬパネルの表示ドットを、２次元方向（Ｘ軸方向）にずらして配置することによって、遊技者が当該ＥＬ表示器１２２を正面から視た場合に同一の画像が２次元方向（Ｘ軸方向）にずれて表示されることとなり、奥行き方向の立体感が強調された迫力のある積層画像の表示が可能となる。これにより当該表示装置１２０における表示効果を高めることが可能となる。このとき、表示画像の積層数を増やすほどに、積層画像の立体感の強調度合いをより高めることが可能となる。
また、このような同一の画像を表示するような実施形態では特に、各透明ＥＬパネルに表示される同一の表示画像を、表示階層で２次元方向にシフトさせる構成であるため、各透明ＥＬパネルごとに表示用データを作成しなくてもよく合理的である。
【００２９】
なお、本発明では、上記実施の形態のＥＬ表示器１２２にかえて、図７に示す構成のＥＬ表示器２２２を用いることができる。ここで、図７には、表示状態のＥＬ表示器２２２を正面から視た様子が示される。
【００３０】
図７に示すＥＬ表示器２２２は、ＥＬ表示器１２２とほぼ同様の構成を有し、３つの透明ＥＬパネル２２３，２２４，２２５が遊技盤１０３の前面から後方（背面）に向けて順に３層に積層された３層構造であり、Ｘ軸方向及びＹ軸方向（２次元方向）に複数の表示用のドットが配置された各透明ＥＬパネルが、Ｚ軸方向（３次元方向）に３階層に積層されることとなる。一方、このＥＬ表示器２２２は、当該ＥＬ表示器２２２を正面から視た場合、３つの透明ＥＬパネル２２３，２２４，２２５においてＺ軸方向に関し積層される表示用のドットが互いにずれた（合致しない）配置になっている。ＥＬ表示器２２２は、透明ＥＬパネルの積層方向に関し表示用のドットが予めずれて配置されている点が、ＥＬ表示器１２２の構成と異なる。
【００３１】
このＥＬ表示器２２２では、「大当たり」であることを報知する同一の表示画像（本発明における「単一種類の表示画像」）である「Ｖ（ブイ）」が、各透明ＥＬパネルにおいて計２１個の表示ドットによって形成されている。また、各透明ＥＬパネルに表示された表示画像（本発明における「表示画像」）がＺ軸方向に互いに積層されることによって積層画像（本発明における「積層画像」）が形成されている。また、各表示画像を形成する表示ドットの配置に関しては、透明ＥＬパネル間でＸ軸方向及びＹ軸方向（本発明における「遊技盤面に沿った方向」）に相対的にシフトさせて（ずらして）配置されている。
【００３２】
具体的には、図７においてＥＬ表示器２２２を正面から視た場合、透明ＥＬパネル２２３の表示ドット２２３ａと透明ＥＬパネル２２４の表示ドット２２４ａとは、Ｘ軸方向に距離Ｄ２、Ｙ軸方向に距離Ｄ３だけずれている。同様に、透明ＥＬパネル２２４の表示ドット２２４ａと透明ＥＬパネル２２５の表示ドット２２５ａとは、Ｘ軸方向に距離Ｄ２、Ｙ軸方向に距離Ｄ３だけずれている。従って、透明ＥＬパネル２２３の表示ドット２２３ａと透明ＥＬパネル２２５の表示ドット２２５ａとは、Ｘ軸方向に距離（２×Ｄ２）、Ｙ軸方向に距離（２×Ｄ３）だけずれることとなる。これにより、各透明ＥＬパネルの表示画像は、一定方向（およそ斜め４５度下方）に順次ずらされた状態で積層表示される。
【００３３】
ＥＬ表示器２２２のこのような表示態様によれば、ＥＬ表示器１２２と同様の作用効果を奏することなる。すなわち、２次元方向（Ｘ軸方向ないしＹ軸方向）だけではなく３次元方向（Ｚ軸方向）に関しても表示ドットが並ぶこととなり、全体として奥行きのある立体的な積層画像の表示が可能となる。そのうえ、Ｚ軸方向に関して互いに積層された透明ＥＬパネルの表示ドットを、２次元方向（Ｘ軸方向及びＹ軸方向）にずらして配置することによって、遊技者が当該ＥＬ表示器２２２を正面から視た場合に同一の画像が２次元方向（Ｘ軸方向及びＹ軸方向）にずれて表示されることとなり、奥行き方向の立体感が強調された迫力のある積層画像の表示が可能となる。また、このＥＬ表示器２２２は、３つの透明ＥＬパネル２２３，２２４，２２５においてＺ軸方向に関し積層される表示用のドットが予め互いにずれた配置となっており、所定のドットを表示するだけで積層画像のずらし表示が可能となるため、積層画像のずらし表示を行うべく表示ドットを２次元方向にずらす制御や、ＥＬ表示器自体を機械的に駆動させるような制御等を行う必要がなく、積層画像のずらし表示を簡便に行うことが可能となる。このＥＬ表示器２２２の構成が、後述する態様１に記載の構成に相当する。このとき、表示画像の積層数を増やすほどに、積層画像の立体感の強調度合いをより高めることが可能となる。
【００３４】
また、本発明では、上記実施の形態のＥＬ表示器１２２や、図７に示す構成のＥＬ表示器２２２にかえて、図８に示す構成のＥＬ表示器３２２を用いることができる。ここで、図８には、ＥＬ表示器３２２の概略構成が示される。
【００３５】
図８に示すＥＬ表示器３２２は、ＥＬ表示器１２２と同様の構成の表示器であり、表示装置１２０に搭載される。このＥＬ表示器３２２は、駆動手段（アクチュエータ）３３０を介して空間３３１内を矢印方向に駆動されることが可能となっている。この駆動手段３３０は、ソレノイドやモータ等の機械的な駆動体を用いて構成され、図４中の主制御装置１５０によって制御される。図８中の左側に示す「立体表示前」の状態では、互いに積層された各透明ＥＬパネルに同一の表示画像を表示する。このとき、各透明ＥＬパネルに表示された表示画像においては、３つの表示画像が遊技者側から視て１つに重なり合う積層画像が形成されるように表示ドットが配置される。すなわち、実際には積層画像が積層表示されているものの当該積層画像が同一の表示画像を重ね合わせた形成されているため、遊技者側からは１つの表示画像が平面的に見えることとなる。
【００３６】
一方、図８中の右側に示す「立体表示中」の状態では、ＥＬ表示器３２２は駆動手段３３０によって二点鎖線で示す位置から実線で示す位置へと駆動される。この表示状態において、ＥＬ表示器３２２の表示面３２２ａが遊技盤１０３面に沿った方向に対し傾斜することとなるため、１つの積層画像を形成する複数の表示画像を遊技盤１０３面に沿った方向に相対的にシフトさせることが可能となる。これにより、奥行き感のある立体的な積層画像を表示させて表示効果を高めることが可能とされる。
【００３７】
このように、各表示パネルにおける表示画像の表示位置を変更するかわりにＥＬ表示器３２２自体を駆動することによっても、複数の表示画像を遊技盤面に沿った方向に相対的にシフトさせることが可能となる。このＥＬ表示器３２２の構成が、後述する態様３に記載の構成に相当する。また、ＥＬ表示器３２２におけるこのような制御は、少なくとも駆動手段３３０を用いて行われるものであり、この駆動手段３３０が本発明における「表示制御手段」を構成する。
【００３８】
（他の実施の形態）
なお、本発明は上記実施の形態のみに限定されるものではなく、本実施の形態に基づいた種々の応用例や変更例を想到することができる。例えば、本実施の形態を応用した以下の形態を実施することもできる。
【００３９】
上記実施の形態の表示装置１２０の構成に関し、本発明では、透過型のＥＬ表示器１２２，２２２，３２２にかえて透過型の液晶表示器を用いたり、透過型のＥＬ表示器と透過型の液晶表示器とを組み合わせることが可能である。なお、透過型の表示器を用いる場合には、その後方（背面）にバックライトのような専用の照明手段を設け、当該表示器における表示画像がより鮮明となるように構成するのが好ましい。
【００４０】
また、上記実施の形態では、例えばＥＬ表示器１２２の３つの透明ＥＬパネル１２３，１２４，１２５には、同一の表示画像を表示する場合について記載したが、互いに相似関係にある複数の表示画像や、一部分が異なる画像を含む画像を各ＥＬパネルに分配して表示する構成のＥＬ表示器としてもよい。
【００４１】
また、上記実施の形態では、３つの透明ＥＬパネルが遊技盤１０３の前面から後方（背面）に向けて順に３層に積層された構造のＥＬ表示器１２２，２２２，３２２について記載したが、透明ＥＬパネルの積層数は複数であれば足り、必要に応じて適宜設定可能である。
【００４２】
また、上記実施の形態では、互いに積層された同一の表示画像を全体的にシフトさせる場合について記載したが、各表示画像の一部分のみをシフトさせるように構成してもよい。
【００４３】
また、上記実施の形態では、各々に独立して表示画像を表示可能な透明ＥＬパネル１２３，１２４，１２５を積層させることによって積層画像を表示する場合について記載したが、本発明では、表示画像を個々に表示する表示体（例えば、蛍光管など）を１つの透過型表示手段において複数積層させることによって積層画像を表示する構成を用いてもよい。
【００４４】
また、上記実施の形態では、第１種パチンコ機であるパチンコ機１０１について記載したが、表示装置を有する第２種パチンコ機や第３種パチンコ機の構成に本発明を適用することもできる。また、パチンコ機以外の遊技機、例えばスロットマシンの表示装置の構成に本発明を適用することもできる。
【００４５】
また、上記実施の形態や種々の変更の形態に鑑みた場合、本発明では以下の態様１〜態様５に記載の構成を採り得る。
【００４６】
（態様１）
本発明では、「請求項１に記載の遊技機であって、
前記表示手段は、単一種類の表示画像が複数積層された積層画像を表示可能な透過型表示手段であり、
前記表示制御手段は、積層画像を形成するべく積層された複数の表示画像の個々の画像が遊技機を正面からみた方向と交差する方向に相対的にシフトされるように前記透過型表示手段を制御する構成であることを特徴とする遊技機。」という構成（態様１）を採り得る。
【００４７】
この態様１では、請求項１に記載の遊技機の構成において、表示手段として単一種類の表示画像が複数積層された積層画像を表示可能な透過型表示手段を用い、表示制御手段は、積層画像を形成するべく積層された複数の表示画像の個々の画像が遊技機を正面からみた方向と交差する方向に相対的にシフトされるように透過型表示手段を制御する構成になっている。
本態様１に記載の遊技機のこのような構成によれば、積層画像を形成する複数の表示画像を、遊技機を正面からみた方向と交差する方向に相対的にシフトさせた状態で透過型表示手段に表示させることによって、積層画像の奥行き方向の立体感が強調された迫力のある表示が可能となり、表示効果を高めることによって遊技者の興趣が高まることとなる。
なお、本態様における「遊技機を正面からみた方向と交差する方向」は、パチンコ機においては「遊技盤面に沿った方向」とほぼ合致する。
【００４８】
（態様２）
本発明では、「態様１に記載の遊技機であって、
前記表示制御手段は、積層画像を形成するべく積層された複数の表示画像の表示位置を遊技機を正面からみた方向と交差する方向に関して可変とする構成であることを特徴とする遊技機。」という構成（態様２）を採り得る。
【００４９】
この態様２では、態様１に記載の遊技機の構成において、表示制御手段は、積層画像を形成するべく積層された複数の表示画像の表示位置を遊技機を正面からみた方向と交差する方向に関して可変とするようになっている。これにより、積層画像を形成する複数の表示画像が相対的にシフトされることとなる。本態様において、表示画像の表示に用いる表示用のドットは、積層方向に関し合致するように配置されていてもよいし、あるいは予めシフトさせて（ずらして）配置されていてもよい。
例えば、透過型表示手段において同一の表示画像の表示位置を遊技機を正面からみた方向と交差する方向に関してシフトさせ（ずらし）、奥行き方向の立体感が強調された積層画像を表示させることによって、表示効果を高めることが可能とされる。
従って、本態様２に記載の遊技機のこのような構成によれば、各表示画像の表示位置を変えて複数の表示画像を遊技機を正面からみた方向と交差する方向に相対的にシフトさせることによって表示効果を高めることが可能となる。
【００５０】
（態様３）
また、本発明では、「態様１に記載の遊技機であって、
前記表示制御手段は、前記透過型表示手段を遊技機を正面からみた方向と交差する方向に対して傾斜させるように駆動可能とする構成であることを特徴とする遊技機。」という構成（態様３）を採り得る。
【００５１】
この態様３では、態様１に記載の遊技機の構成において、表示制御手段は、透過型表示手段を遊技機を正面からみた方向と交差する方向に対して傾斜させるように駆動するようになっている。これにより、積層画像を形成する複数の表示画像が相対的にシフトされることとなる。この表示制御手段は、典型的にはソレノイドやモータ等の機械的な駆動手段（アクチュエータ）を用いて構成される。
例えば、透過型表示手段において同一の表示画像が複数積層された積層画像が遊技者側から視て１つに重なり合うような場合に、当該透過型表示手段を遊技機を正面からみた方向と交差する方向に対して傾斜させるように駆動させることによって、積層画像を形成する複数の表示画像を相対的にシフトさせることが可能となる。これにより、奥行き方向の立体感が強調された積層画像を表示させて表示効果を高めることが可能とされる。
従って、本態様３に記載の遊技機のこのような構成によれば、機械的な駆動手段を用いて複数の表示画像を遊技機を正面からみた方向と交差する方向に相対的にシフトさせることによって表示効果を高めることが可能となる。
【００５２】
（態様４）
また、本発明では、「請求項１、態様１〜態様３のうちのいずれかに記載の遊技機であって、
前記透過型表示手段として、透明ＥＬパネルを複数積層させたＥＬ表示器が用いられていることを特徴とする遊技機。」という構成（態様４）を採り得る。
【００５３】
この態様４では、請求項１、態様１〜態様３のうちのいずれかに記載の遊技機の構成において、透過型表示手段が透明ＥＬパネルを複数積層させたＥＬ表示器を用いて構成されるようになっている。このＥＬ表示器の透明ＥＬパネルは、電流を流すことによって発光する材料であるＥＬ（エレクトロスミネッセンス）を用いたものである。
本態様３に記載のこのような構成によれば、透明ＥＬパネルを複数積層させたＥＬ表示器を用いて透過型表示手段を構成することが可能となる。また、ＥＬ表示器は自発光式であるため、当該ＥＬ表示器を用いる場合には、液晶表示器を用いる場合に必要となるバックライトを構成上省略することが可能となる。
【００５４】
（態様５）
また、本発明では、「請求項１、態様１〜態様３のうちのいずれかに記載の遊技機であって、
前記透過型表示手段として、透明液晶パネルを複数積層させた液晶表示器が用いられていることを特徴とする遊技機。」という構成（態様５）を採り得る。
【００５５】
この態様５では、請求項１、態様１〜態様３のうちのいずれかに記載の遊技機の構成において、透過型表示手段が透明液晶パネルを複数積層させた液晶表示器を用いて構成されるようになっている。この液晶表示器の透明液晶パネルは、光の透過、不透過を電気的にコントロールして表示画像を表示する構成を有する。
本態様５に記載のこのような構成によれば、透明液晶パネルを複数積層させた液晶表示器を用いて透過型表示手段を構成することが可能となる。
【図面の簡単な説明】
【００５６】
【図１】本発明における一実施の形態のパチンコ機１０１の遊技盤１０３の全体構成を示す図である。
【図２】図１中の表示装置１２０を構成するＥＬ表示器１２２の斜視図である。
【図３】図２中のＥＬ表示器１２２のＡ−Ａ線における断面構造を示す図である。
【図４】本実施の形態のパチンコ機１０１の電装システムを示す図である。
【図５】表示状態のＥＬ表示器１２２を斜め上方から視た様子を示す図である。
【図６】表示状態のＥＬ表示器１２２を正面から視た様子を示す図である。
【図７】表示状態のＥＬ表示器２２２を正面から視た様子を示す図である。
【図８】ＥＬ表示器３２２の概略構成を示す図である。
【符号の説明】
【００５７】
１０１  パチンコ機
１０３  遊技盤
１０５  遊技領域
１１０  第１種始動口
１１２  開閉部材
１２０  表示装置
１２１  液晶表示器
１２２  ＥＬ表示器
１２２ａ  ガラス電極
１２２ｂ  有機ＥＬシート
１２３，１２４，１２５  透明ＥＬパネル
１２３，１２４，１２５  表示ドット
【図１】
2005230161.tif 000003
【図２】
2005230161.tif 000004
【図３】
2005230161.tif 000005
【図４】
2005230161.tif 000006
【図５】
2005230161.tif 000007
【図６】
2005230161.tif 000008
【図７】
2005230161.tif 000009
【図８】
2005230161.tif 000010